(57)【特許請求の範囲】
【請求項１】
前低後高の機体フレーム（１）に走行車輪（２・２）を軸支した走行部の、上方から前方に収穫手段（６）を配し、後方に操作ハンドル（１８）を突設した歩行型結球野菜収穫機において、前記操作ハンドル（１８）の下方、かつ、該収穫手段（６）の後下方に、進行方向に対し直交する横送りコンベア（９’）を配置し、該収穫手段（６）において、結球野菜の挟持搬送面を構成する搬送ベルト（３２・３２）の搬送駆動部から、前記横送りコンベア（９’）の駆動軸（８１）に動力を伝達し、該搬送ベルト（３２・３２）の搬送駆動速度と、横送りコンベア（９’）の駆動速度を同調させ、更に、前記横送りコンベア（９’）による搬送方向を、正転方向・逆転方向と可変とし、前記横送りコンベア（９’）を構成する搬送ベルトを、搬送方向に対して左右一対配置した幅狭の無端帯（５９・５９）により構成し、該左右の無端帯（５９・５９）の間に落下孔（８４ａ）を設け、前記落下孔（８４ａ）の下方に、ディスク状の回転刃により構成した切断部（８６）を設けたことを特徴とする歩行型結球野菜収穫機。
【発明の詳細な説明】
【０００１】
【発明の属する技術分野】
本発明は、圃場に植えられた野菜を走行しながら収穫する野菜収穫機に関するものであり、特に畝を形成して植えられた比較的大型な野菜であるキャベツや白菜といった結球野菜を好適に収穫し、収納補助のための搬送を行うとともに調製を行うことを可能とした歩行型の野菜収穫機の構成に関する。
【０００２】
【従来の技術】
機体上に収穫対象物を掘取り収穫を行う収穫手段を備えた野菜収穫機として既に各種の野菜を収穫するものが知られており、走行輪やクローラ等の走行装置に機体フレームを支持させ、該機体フレーム上に収穫手段や収納手段、運手席等の運転部が載置されている。前記収穫手段としては、左右一対の搬送ベルトやスクリュー軸よりなる搬送部を前低後高に配し、機体を進行させながら収穫対象物を挟持して引き抜いて上方に持ち上げて収納手段に収納していた。
【０００３】
また、収穫手段の収穫物を上部に引き上げるコンベアの後部に平ベルト式のコンベアを配置し、該ベルトコンベア上に搬送方向に対して斜めに横断する茎葉引込ローラを横架し、ベルトコンベア上を流れるニンジン等の収穫物の茎葉をベルトコンベアとローラとの間に引き込みながら後方斜め側方に搬送し、茎葉引込ローラ終端部の直側方に配したカッターで茎葉を切断処理し、ベルトコンベア後部より側方に落下させて収納手段内に回収する技術は特開平１０−６６４２７号で開示されている。
【０００４】
【発明が解決しようとする課題】
しかしながら、従来の特開平１０−６６４２７号で開示した技術では、収穫した収穫物を側方の収納手段に搬送するベルトコンベアと茎葉引込ローラとにより側方に確実に搬送できるが、コンベアが前後に長くなり機体の小型化を図ることが困難であった。また、この収穫機の収穫対象物はニンジン等の根菜であり、コンベアとローラとの間に茎葉を引き込みながら後方斜め側方に搬送し、コンベア後部の側端部に設けた切断部で葉茎を切断して調製して収納手段内に回収することを可能としていたので、キャベツや白菜等の結球野菜等の根茎部は調製処理することができなかった。また、収穫手段による引き上げ搬送経路の下部に切断部を設けてオニ葉を切断する技術は公知となっているが、結球野菜の大きさによって搬送姿勢や搬送位置が異なり、出荷に適した状態には調製できなかった。
【０００５】
【課題を解決するための手段】
本発明の解決しようとする課題は以上の如くであり、次にこの課題を解決するための手段を説明する。
前低後高の機体フレーム（１）に走行車輪（２・２）を軸支した走行部の、上方から前方に収穫手段（６）を配し、後方に操作ハンドル（１８）を突設した歩行型結球野菜収穫機において、前記操作ハンドル（１８）の下方、かつ、該収穫手段（６）の後下方に、進行方向に対し直交する横送りコンベア（９’）を配置し、該収穫手段（６）において、結球野菜の挟持搬送面を構成する搬送ベルト（３２・３２）の搬送駆動部から、前記横送りコンベア（９’）の駆動軸（８１）に動力を伝達し、該搬送ベルト（３２・３２）の搬送駆動速度と、横送りコンベア（９’）の駆動速度を同調させ、更に、前記横送りコンベア（９’）による搬送方向を、正転方向・逆転方向と可変とし、前記横送りコンベア（９’）を構成する搬送ベルトを、搬送方向に対して左右一対配置した幅狭の無端帯（５９・５９）により構成し、該左右の無端帯（５９・５９）の間に落下孔（８４ａ）を設け、前記落下孔（８４ａ）の下方に、ディスク状の回転刃により構成した切断部（８６）を設けたものである。
【０００６】
【発明の実施の形態】
次に、本発明の実施の形態を説明する。図１は結球野菜収穫機の全体側面図、図２は同じく全体平面図、図３は同じく全体正面図、図４は収穫手段の平面図部分破断図、図５はローリング支持構成を示す正面図、図６はハンドル下方に配した横送りコンベアの平面図、図７は同じく横送りコンベアの側面図、図８は横送りコンベアの動力伝達構成を示す側面断面図、図９は横送りコンベアの支持構成の別形態を示す平面図部分断面図、図１０は実施例の横送りコンベアを示す平面図、図１１は同じく横送りコンベアの左端部位置の側面断面図、図１２は同じく横送りコンベアの左右略中央位置の側面断面図、図１３は横送りコンベアを幅狭の多角形状の断面を有する無端帯とした側面断面図である。
【０００７】
先ず本発明の支持構造を有する野菜収穫機の全体構成について、図１、図２、図３を用いて説明する。野菜収穫機は、前低後高に機体フレーム１を配し、該機体フレーム１の後下部に走行機台３を配し、該走行機台３の左右両側下部に走行伝動ケース５・５を前低後高に配し、該走行伝動ケース５・５前下部から外方向に車軸を突出して比較的大径の走行車輪２・２を軸支し、前記機体フレーム１の前部に走行車輪２よりも小径の補助車輪１９を取り付けている。
【０００８】
前記走行機台３の左右側部より後方にハンドル１８・１８を延設し、作業者がハンドル１８・１８を持って歩行しながら操縦できるようにしている。そして、走行車輪２の後側方位置（本構成例では進行方向右側方）に、エンジン１７ａ及びミッション装置１７ｂからなる動力発生装置１７を、走行機台３に固定させる右サイドフレーム１５に載置固定している。該右サイドフレーム１５に取り付けられた動力発生装置１７は収穫手段６等よりなる機体本体より右側方に張り出した状態で取付けられ、ミッション装置１７ｂの底部は畝より一定高さ上方に配置される。
【０００９】
また、走行機台３左側面より左側方に左サイドフレーム１６が突設され、該左サイドフレーム１６に載置フレーム１３が取付けられ、該載置フレーム１３上にコンテナ１４が載置され、本体より左側方に張り出した位置に収納部が構成される。
【００１０】
また、前低後高に配置した前記機体フレーム１には収穫対象物であるキャベツ等の結球野菜を掘り起こして後上方へ搬送して収穫する収穫手段６が載置されている。この収穫手段６は前部で掘り起こしを行う前処理手段と、全長に渡って配置する搬送手段とで構成される。前処理手段は、機体フレーム１前部に前後方向に配した左右一対の搬送スクリュー３０・３０と、該搬送スクリュー３０・３０前上方に配した左右一対の掻込みホイル３１・３１より構成され、該掻込みホイル３１・３１の回転によりキャベツの根茎部をその間に掻込み、搬送スクリュー３０・３０先端部の間隔に送り根茎部を挟持し、挟持しながら後上方へ搬送して畝より掘り起こすようにしている。
【００１１】
また、前記搬送スクリュー３０・３０前端上方よりハンドル１８中途部上方位置まで機体フレーム１の傾斜に合わせて平行に搬送手段としての左右一対の搬送ベルト３２・３２が配置されている。該搬送ベルト３２・３２は機体フレーム１の上方に配置した搬送用フレーム３３に支持される複数の転輪や駆動輪の外周に巻回されている。この左右の搬送スクリュー３０・３０の間の対向面を、掘り起こした結球野菜の根部分の搬送面とし、搬送ベルト３２・３２の間の対向面を結球部分の挟持搬送面としている。これら搬送スクリュー３０・３０や搬送ベルト３２・３２の搬送面は機体の左右中心に対して対称に配置され、収穫時に位置を合わせやすくしている。
【００１２】
更に、前記機体フレーム１前端部よりさらに前方に倣い部材としてのゲージホイル３５・３５が正面視「ハ」字状にアームを介して固設され、該ゲージホイル３５・３５を畝の左右側面に当接させ、収穫作業時に畝の上または左右側面に沿って走行させることにより、後述するように機体が傾斜しても収穫手段６は畝に沿うように左右回動して進行し、左右傾斜に影響されなくなり、収穫精度を向上できるのである。
【００１３】
また、前記搬送スクリュー３０・３０後部と搬送ベルト３２・３２の前後途中部との間位置にはディスク刃３４ａとスクレーパ３４ｂが回転駆動可能に配設され、ディスク刃３４ａの刃部が結球野菜の搬送経路に臨んで配置され、搬送時に結球野菜の根茎部を切断する。
【００１４】
次に、前記機体フレーム１について図１、図４、図５を用いて説明する。前記機体フレーム１は、前後方向に設けた左右二本のフレーム１ａ・１ａと補強フレーム１ｂ・１ｂより構成され、該フレーム１ａ・１ａ間の後部には補強フレーム１ｂ・１ｂが左右方向に前後平行に横架して連結され、該機体フレーム１上に搬送用フレーム３３を固設して、搬送装置を支持している。
【００１５】
そして、前記補強フレーム１ｂ・１ｂの左右中央部にはセンターピン３６が前後方向に固設され、該センターピン３６の前端と後端が前記走行機台３上に回転自在に枢支され、該センターピン３６をローリング支点としているのである。
【００１６】
一方、前記走行機台３前部及び後部の左右中央部の上部に枢支ブロック３７・３７が設けられている。該枢支ブロック３７・３７が前記センターピン３６の前端と後端とを枢支し、走行機体３に対して機体フレーム１（収穫手段６）が左右に揺動可能に支持される。
【００１７】
よって、収穫作業を行うために左右の走行車輪２・２が畝を跨ぐように位置させ、ゲージホイル３５・３５を畝の左右側面に沿わせて走行させると、圃場に凹凸があったり傾斜していても、その凹凸や傾斜によって走行機台３は傾くが、走行機台３に対して機体フレーム１（収穫手段６）は独立して左右に傾倒可能に支持されているので、ゲージホイル３５・３５によって収穫手段６は畝形状に倣って揺動して走行することになる。よって、圃場の傾きにかかわらず結球野菜の根茎部を確実に挟持して搬送して収穫できるようになる。
【００１８】
また、この収穫手段６には、図２、図４に示すように、ミッション装置１７ｂの前上部に固設した動力取出部２４より動力が取り出される構成となっており、前記動力取出部２４の左側方から出力軸を突出してユニバーサルジョイント５２等を介して横伝動軸３９、機体フレーム１の後部中央上に設けたギヤボックス４０に動力が伝達されるようにし、該ユニバーサルジョイント５２にはスプライン嵌合等によって収穫手段６の左右揺動に対して摺動しても、常時動力伝達が可能に構成している。
【００１９】
また、図４に示すように、前記ギヤボックス４０の左右中央部より前下方に向け前後方向に縦伝動パイプ４１が突設され、伝動軸を収納して、ベベルギヤ等を介して動力を前方に分岐して伝動可能とし、収穫対象物を掘り起こす前処理手段である前記搬送スクリュー３０・３０と掻込みホイル３１・３１に動力が伝達される。
【００２０】
また、前記ギヤボックス４０左側部に固設した搬送駆動伝達部４５は側部動力伝達部と上部動力伝達部よりなり、側部動力伝達部はギヤボックス４０より左側方へ突設する伝動パイプ４５ａ、該伝動パイプ４５ａ左端部より左の搬送ベルト３０の左外側面（収穫手段６の側面）に沿って後上方へ立ち上げて、搬送ベルト３０・３０の後端の上方まで延設するチェーンケース４５ｂからなる。また、上部動力伝達部はチェーンケース４５ｂ後端部より搬送ベルト３０・３０後部の上方を跨ぐように右方へ水平状に突設する後部伝動パイプ４５ｃとウォームギヤケース４８・４８より構成される。
【００２１】
この搬送駆動伝達部４５後部の後部伝動パイプ４５ｃには水平軸４７が軸支され、該水平軸４７左端部と前記入力軸５３左端部とがチェーンケース４５ｂ内においてスプロケットとチェーンを介して連動連結され、搬送ベルト３０・３０の搬送面の下方から結球野菜の落下位置を迂回して、平面視及び正面視で「コ」字状の動力伝達経路を構成している。また、前記ウォームギヤケース４８・４８内には駆動プーリ４６・４６を軸支した駆動軸４６ａ・４６ａが収納され、ウォームギヤ及びウォームホイルを介して水平軸４７と連動連結される。
【００２２】
次に、収穫手段６で収穫した野菜をその搬送方向を変えて前記収納部であるコンテナ１４に向けて補助搬送する横送りコンベア９について説明する。図１、図２、図６に示すように、横送りコンベア９は、ローリング可能に支持された収穫手段６の後端下方であって、走行機台３より後方に延設されたハンドル１８・１８後部下方に横設される。該横送りコンベア９は結球野菜を載置して収穫手段６による搬送方向と直交する左右方向に搬送可能な一定の幅を有するベルト式コンベアで構成されている。該横送りコンベア９の長さは前記載置フレーム１３と動力発生装置１７の左右外端位置の機体幅に略合わせている。該横送りコンベア９を構成する駆動ローラ６３と従動ローラ６４が左右両側に配置されて、その外周面に横搬送ベルト６５を巻回している。なお、本構成例では駆動ローラ６３を左側、従動ローラ６４を右側に配置しているが、左右逆に配置することもできる。
【００２３】
前記横送りコンベア９の支持構成は、図１、図６、図７に示すように、前記走行伝動ケース５・５下面より後上方に補助フレーム６０・６０が突設され、該補助フレーム６０・６０の後部は平面視でクランク状に曲げて、各々左右外方向へ延出して、左右補助フレーム６０・６０の後部の間隔が広くなるようにし、その後部上に支持フレーム６１を載置固定している。
【００２４】
該支持フレーム６１は、図６、図７、図８に示すように、側面視略Ｕ字状に構成して、該支持フレーム６１の左右中央部の前部より前上方にプレート状の前ガイド８０を突設し、搬送ベルト３２・３２の終端部まで延設している。該支持フレーム６１の後部からは横送りコンベア９の左右長さに合わせた幅の落下防止板８１が後上方に突設されている。このように構成することによって、搬送ベルト３２・３２の搬送面の終端から落下した結球野菜は、前ガイド８０上に落下して、該前ガイド８０の傾斜によって横送りコンベア９上に落ち、勢い余って転がっても落下防止板８１によって横送りコンベア９より後方へは落下しないようにしている。
【００２５】
また、前記ハンドル１８・１８の後下部からは門型に構成した補強パイプ６２によって連結されて補強され、該補強パイプ６２はハンドル１８・１８より後下方へ突設され、該補強パイプ６２下端は前記落下防止板８１の左右中央部に固設されている。このようにして横送りコンベア９の後部を吊設支持するようにしている。そして、この補強パイプ６２は左右のハンドル１８・１８間の搬送コンベア３２・３２から落下してくる結球野菜を遮ることがなく、その落下状態も十分視認でき、作業者が前方に手を伸ばして作業できるように門型に構成しているのである。
【００２６】
また、図６に示すように、前記支持フレーム６１の左側には載置台８７が延設され、該載置台８７は横送りコンベア９の搬送終端側に配置する構成として、横送りコンベア９上に載置して搬送された結球野菜を受けるようにしている。尚、図２、図６においては、左側にのみ載置台８７を設けているが、搬送方向を右方向とした場合には支持フレーム６１の右側に設けられ、搬送方向を左右切り換えられるようにした場合には、左右両側に設けられる。
【００２７】
また、前記従動ローラ６４は前記支持フレーム６１の右側において、図示しないテンション機構によって横搬送ベルト６５を緊張し、テンションを解除することによって横搬送ベルト６５を外せるようにしている。
【００２８】
次に、横送りコンベア９の駆動構成を説明する。横送りコンベア９は搬送手段の左右一側の後部から動力を伝達する構成としており、本構成例においては左側の搬送手段から動力を取り出す構成としているため左側について説明する。図７に示すように、前記ウォームギヤケース４８内の水平軸４７上に固設したウォームギヤ９０は前記駆動プーリ４６の駆動軸４６ａの一端上に固設したウォームホイル９１と噛合され、該駆動軸４６ａの他端はユニバーサルジョイント６７を介して垂直伝動軸６９の一端と連動連結されている。該垂直伝動軸６９の下端は横送りコンベア９の左前部に配したクラッチケース６８内に挿入され、該クラッチケース６８内の垂直伝動軸６９上にベベルギヤ６９ａを固設し、該ベベルギヤ６９ａから後述するベベルギヤやチェーン等を介して横送りコンベア９を駆動できるようにしている。
【００２９】
尚、前記ユニバーサルジョイント６７はスプライン軸と該軸を嵌合する筒軸とで構成され、収穫手段６がローリング支点を中心に揺動して、前記駆動軸４６ａが上下動してもユニバーサルジョイント６７が伸縮して、動力が途絶えることなく横送りコンベア９を駆動できるのである。
【００３０】
一方、図８に示すように、前記支持フレーム６１に前後方向に回転自在に伝動軸７９が支持され、該伝動軸７９の前端が前記クラッチケース６８内に挿入され、該クラッチケース６８内の伝動軸７９上で、前記ベベルギヤ６９ａの前後両側に対向してベベルギヤ７４ａ・７４ｂを伝動軸７９に対して相対回動可能に遊嵌し、該ベベルギヤ７４ａ・７４ｂを常時ベベルギヤ６９ａに噛合させている。前記ベベルギヤ７４ａ・７４ｂの対向する内側面には各々内歯を形成する。また、前記ベベルギヤ７４ａ・７４ｂの間の伝動軸７９はスプライン溝が穿設され、スライドギヤ７０が伝動軸７９上を前後に摺動可能かつ相対回動不能に嵌合される。該スライドギヤ７０の前後面にギヤが形成され、前記ベベルギヤ７４ａ・７４ｂの内歯に噛合可能とする。
【００３１】
このように構成することによって、図示せぬシフターホークを操作して、スライドギヤ７０を前後に何れか一方に摺動させると、例えば後方に摺動させるとベベルギヤ７４ｂからスライドギヤ７０へ駆動力が伝達され、伝動軸７９を正回転させることができ、逆にスライドギヤ７０を前方へ摺動させることでベベルギヤ７４ａを介してスライドギヤ７０へ駆動力が伝達され、伝動軸７９を逆回転させることができる。このようにして、スライドギヤ７０のスライド操作によって、横送りコンベア９を正転させたり、逆転させたり搬送方向を可変とし、また停止させたりでき、前記搬送ベルト３２・３２と同調して駆動できるのである。
【００３２】
また、前記伝動軸７９の途中部にはスプロケット７５が固設され、伝動軸７９に対してはキーによって摺動自在、かつ、相対回転不能としている。そして、図６に示すように、前記駆動ローラ６３上にスプロケット７６が固設され、この両スプロケット７５・７６にチェーン７７が巻回されて、伝動軸７９から駆動ローラ６３に動力を伝達可能としている。但し、前記チェーン伝動機構は横搬送ベルト６５の内側に配置しているが、外側に配置することもできる。
【００３３】
また、前記駆動ローラ６３は、図９に示すように、前記補助フレーム６０に回転自在に支持する構成とすることも可能である。つまり、該補助フレーム６０の後部は左側方に大きく湾曲させて横送りコンベア９の左端部まで延設し、駆動ローラ６３を枢支する軸と前記支持フレーム６１を支持するフレームとを兼用しているのである。よって、部品点数を減らして簡単な構造とすることができるのである。
【００３４】
また、前記横搬送ベルト６５の断面形状は図８に示すように平ベルトであってもまた、図６、図７、図９に示すように、凹状に形成しても構わない。凹状に形成した場合、その外周面は円弧状として、両外側（前後）のベルトの厚みを徐々に厚くし、結球野菜の外形に近づくようにして、横搬送ベルト６５と結球野菜との接触面積を増加するとともに、搬送時に転がり落ちないようにしている。更に、この凹状に形成した横搬送ベルト６５の内側（前後中央部）のベルトの厚みを薄くし、この横搬送ベルト６５の内側に凹状の溝部６５ａを形成し、結球野菜に付着していた土等がはがれ落ちてもこの溝部６５ａ内に落下させ、横搬送ベルト６５上に土や泥等が付着することがなく、結球野菜の表皮が泥等で汚れることのないようにし、搬送時にスリップ等させることをなくして搬送性能を向上している。
【００３５】
また、横送りコンベア９は図１０、図１１に示すように、平ベルトの代わりに搬送方向に対して左右一対のＶベルトで構成した幅狭の無端帯５９・５９を用いて搬送する構成とすることもできる。即ち、駆動軸８１、従動軸上にそれぞれプーリ８２・８２・８３・８３を固設し、このプーリ８３・８３とプーリ８２・８２との間にそれぞれ無端帯５９・５９を平行に巻回して、前記同様に伝動軸７９から動力を伝達して駆動するようにしている。但し、無端帯５９・５９の間隔は結球野菜が落ちない間隔としている。そして、図１０、図１２に示すように、前記支持フレーム６１上の略搬送幅に渡ってガイドプレート８４・８４が固定され、該ガイドプレート８４・８４によって無端帯５９・５９の上側巻回部がガイドされ、結球野菜が無端帯５９・５９上に載っても撓んだり、広がったりせず、確実に搬送できるようにしている。
【００３６】
そして、図１０に示すように、前記ガイドプレート８４の左右中央部、つまり、前後の無端帯５９・５９の間で搬送手段後方位置に落下孔８４ａが開口され、該落下孔８４ａ下方の搬送後工程側に、切断部８６が設けられている。該切断部８６はディスク状の回転刃によって切断する構成としている。また、前記落下孔８４ａの外周縁部にはゴムや樹脂により構成した緩衝部材８５が貼設され、結球野菜の表面を傷つけないようにしている。更に、図１０、図１１に示すように、前記落下孔８４ａ左右端部よりさらに左右外側のガイドプレート８４の前後中央部は下方へ一段下がった凹部８４ｂ・８４ｂが形成され、無端帯５９・５９上を搬送される結球野菜の下部がガイドプレート８４上面に当接されることがない。尚、無端帯５９の断面形状は、図１３に示すように、多角形状とすることで、無端帯５９の面で結球野菜を受けてさらに安定して搬送できるようにしている。このようにして横送りコンベア９’を構成している。
【００３７】
このような構成において、搬送手段によって搬送された結球野菜が、落下孔８４ａ上に落ちると、作業者は結球野菜の根茎部を下方に向けた状態に載せ変えて、横送りコンベア９’によって搬送させ、切断部８６に至ると、茎部やオニ葉等が切断されて調製され、コンテナ１４内へ移しかえるのである。このように、作業者は結球部の位置を変更するだけの作業で調整することが可能となり、作業性を向上でき、人手により包丁等で調製した構成に比べ、作業時間が大幅に短縮され、連続的に収穫された結球野菜を順次調製して収納できのである。そして、コンテナ１４内に収納したときには結球野菜の茎部が他の結球野菜の結球部に当らず、収納量も増加することができるのである。
【００３８】
【発明の効果】
本発明は、以上のように構成したので、次のような効果を奏するものである。
請求項１記載のように、前低後高の機体フレーム（１）に走行車輪（２・２）を軸支した走行部の、上方から前方に収穫手段（６）を配し、後方に操作ハンドル（１８）を突設した歩行型結球野菜収穫機において、前記操作ハンドル（１８）の下方、かつ、該収穫手段（６）の後下方に、進行方向に対し直交する横送りコンベア（９’）を配置し、該収穫手段（６）において、結球野菜の挟持搬送面を構成する搬送ベルト（３２・３２）の搬送駆動部から、前記横送りコンベア（９’）の駆動軸（８１）に動力を伝達し、該搬送ベルト（３２・３２）の搬送駆動速度と、横送りコンベア（９’）の駆動速度を同調させ、更に、前記横送りコンベア（９’）による搬送方向を、正転方向・逆転方向と可変とし、前記横送りコンベア（９’）を構成する搬送ベルトを、搬送方向に対して左右一対配置した幅狭の無端帯（５９・５９）により構成し、該左右の無端帯（５９・５９）の間に落下孔（８４ａ）を設け、前記落下孔（８４ａ）の下方に、ディスク状の回転刃により構成した切断部（８６）を設けたので、収穫手段から搬送された結球野菜がコンベアに受け継がれ、搬送方向を左右方向に変えて収納部へ向けて搬送できるようになり、収納補助作業が容易に行え、作業の視認性がよく、収納作業を効率よく行える。また、このコンベアがハンドルの下方に位置するので、ハンドルを持って操作することに支障がなく、重心も下がって安定した走行が可能となる。
【００３９】
また、前記収穫手段の搬送駆動部からコンベアの駆動軸に動力を伝え、収穫搬送駆動と横送り駆動を同調させたので、収穫手段から順次搬送される収穫物の搬送速度に合わせてコンベアが駆動され、収穫手段からコンベアへの結球野菜の受け継ぎがスムースに行われ、途中で滞留することがなく、収納作業もスムースに行えるのである。
【００４０】
また、前記コンベアによる送り方向を可変としたので、収納部の左右の位置や補助作業者の位置に合わせて右送り、左送りに切り替えて、機体の右側と左側の両側より収納作業を行うことができ、収納作業を補助するために機能的なコンベアが提供できるのである。
【００４１】
また、前記コンベアを構成する搬送ベルトを、幅狭の無端帯として、搬送方向に対して左右一対配置し、該左右の無端帯の間に落下孔を設けので、転がり易い結球野菜を載置しても、二本の無端帯で支えることになり、球の半径や形状が異なっても平ベルトによる搬送構成に比べて、搬送姿勢を安定して搬送することが可能となる。
また、コンベア上に結球野菜が落下してときに、付着した土や泥や葉等が一対の無端帯の間の落下孔より落下して排出でき、搬送部に土や葉等が堆積さず、また、結球野菜を汚すことなく搬送することが可能となる。
【００４２】
また、前記落下孔の下方に切断部を設けたので、収納部へ搬送する時に、突出した根茎部（キャベツにおいてはオニ葉を含めた根茎部）を切断して調製することができ、作業者はコンベアの中央部で結球野菜を根茎部を下方に向けた状態に載せ変えるだけの操作で調製でき、人手により包丁等で調製する作業に比べて、楽な操作で連続的に調製して、作業時間が短縮され、収穫性能を大幅に向上できたのである。
【図面の簡単な説明】
【図１】  結球野菜収穫機の全体側面図である。
【図２】  同じく全体平面図である。
【図３】  同じく全体正面図である。
【図４】  収穫手段の平面図部分破断図である。
【図５】  ローリング支持構成を示す正面図である。
【図６】  ハンドル下方に配した横送りコンベアの平面図である。
【図７】  同じく横送りコンベアの側面図である。
【図８】  横送りコンベアの動力伝達構成を示す側面断面図である。
【図９】  横送りコンベアの支持構成の別形態を示す平面図部分断面図である。
【図１０】  横送りコンベアを示す平面図である。
【図１１】  同じく横送りコンベアの左端部位置の側面断面図である。
【図１２】  同じく横送りコンベアの左右略中央位置の側面断面図である。
【図１３】  横送りコンベアを幅狭の多角形状の断面を有する無端帯とした側面断面図である。
【符号の説明】
２    車輪
３    走行機台
６    収穫手段
９    横送りコンベア
１３  載置フレーム
１４  コンテナ
１７  動力発生装置
１８  ハンドル
５９  無端帯
６５  横搬送ベルト
５４  融通部
８４ａ  落下孔
８６  切断部
【図１】
0004194170.tif 000002
【図２】
0004194170.tif 000003
【図３】
0004194170.tif 000004
【図４】
0004194170.tif 000005
【図５】
0004194170.tif 000006
【図６】
0004194170.tif 000007
【図７】
0004194170.tif 000008
【図８】
0004194170.tif 000009
【図９】
0004194170.tif 000010
【図１０】
0004194170.tif 000011
【図１１】
0004194170.tif 000012
【図１２】
0004194170.tif 000013
【図１３】
0004194170.tif 000014